(57)【特許請求の範囲】
【請求項１】
材料を身体に埋入するための埋入キットであって、前記埋入キットが、埋入管（１）と、貫入ロッド（２）と、容器（３）とを含んでおり、前記貫入ロッド（２）が、前記埋入管（１）の内側に位置決め可能であり、かつ該貫入ロッド（２）と埋入管（１）の第一の端部との組み合わせで前記身体にキャビティを作るための丸みのある貫入先端（４）を有し、前記埋入管（１）が前記作られたキャビティを維持し、前記作られたキャビティに埋入されるべき材料を収容する前記容器（３）が、前記貫入ロッド（２）が前記埋入管（１）内に存在しないときに、キャビティを維持しながら、前記埋入管（１）に前記第一の端部と反対側の第二の端部から挿入可能であることを特徴とする、埋入キット。
【請求項２】
前記埋入管（１）および前記容器（３）の除去時に前記埋入された材料を前記作られたキャビティ内の適所に保つ、プランジャ（１０）をさらに含む、請求項１に記載の埋入キット。
【請求項３】
前記埋入管（１）および前記容器（３）の除去時に、前記材料を前記作られたキャビティ内の適所に引き入れ、かつ／または前記埋入された材料を前記作られたキャビティ内の適所に保つ、前記材料の前端で連結する縫合糸（１３）および該縫合糸に連結される少なくとも１本の針（１２）をさらに含む、請求項１または２に記載の埋入キット。
【請求項４】
材料を身体に埋入するための埋入キットであって、前記埋入キットが、埋入管（１）と、貫入ロッド（２）と、容器（３）とを含んでおり、前記貫入ロッド（２）が、前記身体にキャビティを作るために前記埋入管（１）の内側に位置決め可能であり、前記埋入管（１）が前記作られたキャビティを維持し、前記作られたキャビティに埋入されるべき材料を収容する前記容器（３）が、前記貫入ロッド（２）が前記埋入管（１）内に存在しないときに前記埋入管（１）に挿入可能であり、
前記埋入管（１）および前記容器（３）の除去時に、前記材料を前記作られたキャビティ内の適所に引き入れ、かつ／または前記埋入された材料を前記作られたキャビティ内の適所に保つ、前記材料の前端で連結する縫合糸（１３）および該縫合糸に連結される少なくとも１本の針（１２）をさらに含むことを特徴とする、埋入キット。
【請求項５】
前記埋入管（１）が円形以外の断面を有しており、前記貫入ロッド（２）が、前記埋入管（１）の内側に嵌合する、対応する断面を有する、請求項１乃至４のいずれかに記載の埋入キット。
【請求項６】
組織移植キットであって、該組織移植キットが、請求項１乃至５のいずれかに記載の埋入キットと、身体から組織を採取するための採取キットを含み、
前記採取キットが、組織を採取するための鋭利な剃刀またはメス入口端（１４）を有する採取管（９）と、前記採取管（９）が体内に位置決めされているときに前記入口端（１４）のところで採取されるべき前記組織を切り離す切断部材（１７）または捻除部材（３０）とを含むことを特徴とする、組織移植キット。
【請求項７】
採取された組織を収容する容器（３’）をさらに含んでおり、前記容器（３’）が、使用時に前記採取管（９）の内側に位置決めされる、請求項６に記載の組織移植キット。
【請求項８】
前記採取管（９）が別個の鋭利な入口端（１５、１６）を備える、請求項７に記載の組織移植キット。
【請求項９】
前記切断部材（１７）が、前記採取管（９）および容器（３’）が体内に位置決めされているときにその入口端（２９）のところで採取されるべき組織を切り離すために、前記容器（３’）および前記採取管（９）に配置される、請求項６乃至８のいずれかに記載の組織移植キット。
【請求項１０】
前記切断部材（１７）が、前記容器（３’）の前記入口端（２９）と前記採取管（９）との間に配置された縫合糸（１８）を含む、請求項９に記載の組織移植キット。
【請求項１１】
前記採取管（９）が前記埋入キットの容器（３）を構成する、請求項６乃至１０のいずれかに記載の組織移植キット。
【請求項１２】
形成外科手術に用いるための請求項１乃至５のいずれかに記載の埋入キット。
【請求項１３】
形成外科手術に用いるための請求項６乃至１１のいずれかに記載の組織移植キット。
【発明の詳細な説明】
【技術分野】
【０００１】
本発明は、採取キット（extraction kit）、埋入キット（implantation kit）、および移植キット（transplantation kit）に関する。本発明は、また、組織を採取する方法、材料を埋入する方法、および組織を移植する方法に関する。
【０００２】
当該埋入キットと材料を埋入する当該方法とを用いて、身体に埋入するのに適したいずれの材料も身体に埋入することができる。好ましくは、筋肉、真皮（corium）、皮膚（dermis）、骨、軟骨、脂肪などの組織が埋入される。
【０００３】
当該採取キットと組織を採取する当該方法とを用いて、身体からいずれの組織も採取することができる。当該移植キットと組織を移植するための当該方法とを用いて、組織の移植を実施することができる。
【背景技術】
【０００４】
今日行われている脂肪の移植は、主に、身体から脂肪を吸引し、脂肪を遠心分離／洗浄して脂肪細胞の濃縮液を得て、好ましくは注入針を用いて濃縮液を身体に注入することによって実施される。この移植方法に関する問題は、注入された脂肪の６０〜１００％が１年以内に身体に吸収されることである。
【０００５】
セグメント状またはコア脂肪（segmental or core fat）、すなわち、遠心分離／洗浄されていない、形態／構造が無傷の脂肪は、身体に移植されたときに類似の形では吸収されないことが知られている。動物における研究で、吸収度が５％未満であることが示されている。Fagrell, D.、Enestrom, S.、Berggren, A.らのFat cylinder transplantation: An experimental comparative study of three different kinds of fat transplants. Plastic and Reconstructive Surgery 98: 90、1996を参照のこと。
【０００６】
組織移植の１つの問題は、適切に小さい寸法の組織を採取するのが困難なことである。他の問題は、十分な精度で組織を埋入することに関する。
【０００７】
米国特許第5269316号は、真皮、脂肪、軟骨、または人工補填材料の、除去、移植、または埋入のための外科用器具を示す。その器具は、分断可能な３つの隣接セクションから構成され、その第１のセクションは、中空のメスであり、第２のセクションは、中空のメスと連通する中空管であり、第３のセクションは、鋭い針へとテーパした中実部分である。
【０００８】
中空のメスおよび中実の鋭い針は、中空管のそれぞれの端部から切離し可能であり、中空管は、中空のメスおよび鋭い針部分の除去後にその長さに沿って分離可能である。
【０００９】
器具を使用するときには、鋭い針部分が外科用ドリル内に留め付けられ、その結果、中空のメスが、第１の位置で皮膚を貫いてドリル穿孔方式で身体に導入され、採取されるべき組織を通り、最終的には第２の位置で皮膚を通って外に出ることができるようになり、したがって、皮膚に２つの傷を作る。これが実際にどのように機能できるか確かめることは、困難であり、それは、中空管の内側からの空気の排出がないように思われ、したがって、採取されるべき組織が中空管内に入るときに、その組織が中空管の内側に存在する空気のクッションによってすぐに阻止されることになるからである。その後、器具は、ドリルから除去され、代わりに中空のメスのところで回転され留め付けられる。ここで、埋入を実施すべき身体の位置において鋭い針部分を用いて、穿孔が始まる。器具は、第１の位置で皮膚を貫いて導入され、移植のための経路に沿って進み、第２の位置で再び皮膚を貫いて外に出るので、皮膚にもう１組の２つの傷を作る。
【００１０】
ドリルは、除去され、中空のメスおよび鋭い針部分は、体内に位置決めされた中空管から切り離される。次いで、中空管は、まだ体内にある状態で２つの半体へと分けられ、移植された組織を体内に残して身体から引き出される。この分離を実施するのは、かなり困難なように思われ、その分離は、また、２つの部分を切り離すためにそれらの２つの部品を互いに径方向に押し離す必要があるので、それらの２つの部品の分離時に埋入キャビティの拡大を引き起こす。
【００１１】
この外科用器具における問題は、その器具が、組織を採取するときにも組織を埋入するときにも、皮膚に２つの穴を作ることである。他の問題は、針部分が鋭いので、埋入された組織の周りの組織の出血を引き起こし、それが、移植の結果を危険にさらして、埋入された組織の壊死および／または身体による拒絶の危険を高めることである。それは、また、神経、血管、および周辺組織の損傷の危険も高める。全体的に見て、それは、非常に迂遠的（circumstantial）な方法であるように思われる。
【００１２】
最近の論文に、コア脂肪を採取し、それを埋入する、新しい方法が記載されている。その論文は、Plastic and Reconstructive Surgery、2007年7月に発表された。その名称は、Bahman GuyuronおよびRamsey K. MajzoubによるFacial Augmentation with Core Fat Graft: A Preliminary Reportである。
【００１３】
その論文の著者らは、１ｍｌシリンジを採用し、振動式のこぎりで先端を斜めに切断した。身体の採取部位が小さく切開され、外科医は、脂肪を収容するようにシリンジピストンを静かに引きながら、シリンジを回転させ、前進させた。
【００１４】
１丁のベビーメッツェンバウム剪刀（baby Metzenbaum scissors）、または採取された脂肪を収めている同一のシリンジが、埋入部位にスペースを作り出すために使用され、シリンジがそのスペースに導入された。シリンジが除去される間、シリンジピストンは、新たに作られたスペースに脂肪を送り込むために使用された。シリンジは、新たに作られたスペース内に最高４回まで導入されて、１回当たり約１ｍｌのコア脂肪を送り込んだ。
【００１５】
この方法における１つの問題は、斜めのシリンジの先端が丸いので、その方法を脂肪にしか使用できないことであり、それは、また、その方法が、より小さな寸法にも有効ではないことを意味する。他の問題は、埋入部位で組織内にスペースを作り出すときには組織が剪刀によって切断されることになり、剪刀が埋入物（implant）に必要とされるよりも大きな入口開口部を生じさせることになり、また、剪刀によってより長いまたはより深いスペースを作り出すことが困難なことである。あるいは、斜めシリンジが組織に押し込まれる場合、それは、やはり、組織を切断することになる。組織は、傷つき、出血することになる。また、神経、血管、および周辺組織が損傷する危険もある。
【００１６】
スペースに数回充填することは困難であり、特に、スペースが剪刀で切断された場合、毎回スペースを見つけることは困難である。シリンジがスペースに挿入されるたびに、組織をさらに切断する危険がある。埋入を制御すること、例えば、脂肪を正しい位置に正しい量で位置決めすることは、困難である。
【００１７】
シリンジピストンによって、丸みのある先端を使用するときに必要とされる強い陰圧を採取された脂肪に加えると、脂肪が身体から引きちぎられることになる採取の最終ステップと同様に、脂肪に外傷を与えることになる。脂肪がどの位置で身体から引きちぎられることになるか、それが採取管（extraction tube）の外側にくるか、採取（extraction）の内側にくるか、またはその内側端にくるかを知ることが可能ではないので、組織の採取を制御することは、不可能である。また、論文の絵から明らかなように、採取される組織の形状を制御することも不可能であり、脂肪は、その長さに沿って異なる断面サイズを有する。
【００１８】
埋入部位での出血または脂肪の傷は、すべて、埋入部位での脂肪の拒絶の危険を高めることになる。
【００１９】
Bahman GuyuronおよびRamsey K. Majzoubによって記載された脂肪移植技術および臨床結果は、当該方法が粗雑であることを示している。採取技術は、傷ついた、鋭利に切断されていない、特定の寸法の脂肪組織だけに限定される。脂肪埋入は、埋入部位で出血を引き起こす可能性が高く、埋入された材料の位置は、正確には制御されない。
【発明の概要】
【発明が解決しようとする課題】
【００２０】
本発明のキットおよび方法は、これらの問題のうちの少なくとも一部を解決することを目的とする。
【課題を解決するための手段】
【００２１】
本発明は、身体に埋入するためのキットに関し、身体にキャビティを作る、埋入管（implantation tube）の内側に位置決めできる貫入ロッド（penetration rod）を含む。埋入管は、作られたキャビティを維持する。キットは、また、埋入管に挿入可能な容器を含む。容器は、作られたキャビティに埋入されるべき材料を収容する。
【００２２】
このキットを用いると、皮膚に小さな開口部を１つ作るだけで、材料を埋入することが可能になる。皮膚の開口を最小限に抑えることは、常に有利であり、当該キットを形成外科手術で使用するときには特に有利である。他の利点は、埋入されるべき材料を収容する容器を挿入する間、周辺組織が埋入管によって保護されることになり、したがって、組織を切断する危険を低減し、容器の挿入を容易にすることである。
【００２３】
埋入キットは、さらに、埋入管および容器の除去時に、埋入された材料を作られたキャビティ内の適所に保つのに役立つ、プランジャを含むことができる。
【００２４】
埋入キットは、また、埋入キットおよび材料の適切な寸法と同一の寸法のキャビティ内に何度も埋入する問題をなくすことができ、１回の埋入のためだけに選択される。
【００２５】
１本もしくは２本の針を有する縫合糸（suture）を、埋入キットに組み入れることができる。縫合糸は、また、埋入管および容器の除去時に、埋入された材料を作られたキャビティ内の適所に保つのに役立つことがある。縫合糸は、プランジャの代わりに使用することもでき、またはプランジャと一緒に使用することもできる。また、縫合糸を用いて、材料を作られたキャビティ内の適所に引き入れることも可能である。使用に際しては、針は、埋入のための開口部から離れた位置で皮膚に針穴をあけることになる。当業者には公知のように、皮膚は、針および縫合糸が除去されるとすぐに針穴を閉じる。
【００２６】
好ましくは、貫入ロッドは、丸みのある貫入先端（blunt penetration tip）を有する。丸みのある貫入先端によって、貫入ロッドは、組織を切断する代わりに、身体に貫入しながら組織を分離することになる。したがって、全くまたはほとんど出血なしにキャビティを作ることができる。これは、出血が埋入物と身体との間の結合を妨害して、埋入物の拒絶および／または埋入物が組織である場合の当該埋入物の壊死の危険を高めることがあるので、有利である。丸みのある貫入先端は、また、神経、血管、および周辺組織を損傷する危険を低減する。
【００２７】
望むなら、埋入管は、円形以外の断面、例えば、扁平な楕円形断面を有することができる。キット内の貫入ロッドは、埋入管の内側に嵌合する、対応する断面を有することになる。このように、所望の形状のキャビティを作り出すことが可能であり、またさらに、適切な埋入物が所望の形状の作られたキャビティを満たすように、作られたキャビティをその適切な埋入物で満たすことも可能である。作られたキャビティは、その作られたキャビティの形状に適した１片の埋入物で満たすことができる。作られたキャビティに繰り返し充填する必要はない。したがって、埋入および結果をすぐれた方法で制御することが可能である。採取キットの容器は、埋入管の形状へと変形するように軟質材料製のものとすることができる。
【００２８】
本発明は、また、組織を採取するための鋭利な剃刀またはメス入口端（razor or scalpel sharp entrance end）を有する採取管と、採取管が体内に位置決めされているときに入口端のところで採取されるべき組織を切り離す切断部材（cutting member）または捻除部材（avulsion member）とを含む、身体から組織を採取するためのキットに関する。また、このキットも、皮膚に小さな開口部を１つしか作らないという利点を有する。
【００２９】
採取管のこのような鋭利な入口端を用いると、採取されるべき組織の外傷の危険が低減され、したがって、埋入が成功する可能性が高まる。本発明では、組織は、１つのセグメントで切り取られる。また、鋭利な入口端によって、脂肪に加え、筋肉、真皮、皮膚、骨、軟骨のような組織を採取することも可能になる。また、小さな寸法の組織を採取することも可能になる。好ましくは、採取管は、また、埋入用キットにおいても、その中の容器として使用することができる。
【００３０】
好ましくは、キットは、採取された組織を収容する容器を含む。容器は、使用時には採取管の内側に位置決めされることになる。好ましくは、この容器は、また、埋入用キットにおいても使用することができる。
【００３１】
考えられる一実施形態では、採取管は、別個の鋭利な入口端を備える。これは、採取管が、特定の用途、例えばシリンジで必要なほど鋭利にするのが困難なことのあるプラスチック材料製であるときに、有利な可能性がある。別個の鋭利な入口端は、高度に鋭利にするのに適した金属製とすることができる。
【００３２】
切断部材は、一実施形態では、採取管および容器が体内に位置決めされたときにその入口端のところで採取されるべき組織を切り離すために、容器のところに配置することができる。また、切断部材が採取管および容器の両方に配置されることも考えられる。
【００３３】
一実施形態では、切断部材は、容器の入口端のところおよび採取管の入口端のところに配置された縫合糸を含む。当該方法は、組織の「締付け（strangling）」が行われ、組織が切り離されるように、容器と採取管とを互いに対して回転運動させることになる。切断部材の異なる実施形態のより多くの例を、以下の詳細な説明に記載する。
【００３４】
また、特定のタイプの組織の採取など、特定の位置での採取が望まれる場合、採取キットが貫入ロッドを含むことが考えられる。その場合、貫入ロッドは、組織を切り取ることなく、特定の位置へと達する経路に貫入する、採取管（および存在し得る容器）の内側に位置決めすることができる。その特定の位置で、貫入ロッドは、引き下げられ、採取管は、特定の組織の切取りを開始することができる。
【００３５】
本発明は、さらに、組織を採取するための鋭利な剃刀またはメス入口端を有する採取管と、採取管が体内に位置決めされているときに入口端のところで採取されるべき組織を切り離す切断部材または捻除部材とを含む、組織移植用の組織移植キットに関する。当該キットは、また、身体にキャビティを作る、埋入管の内側に位置決めできる貫入ロッドを含む。埋入管は、作られたキャビティを維持する。キットは、また、埋入管に挿入可能な容器を含む。容器は、作られたキャビティに埋入されるべき組織を収容する。採取管が容器を構成することが考えられる。
【００３６】
このキットを用いると、採取部位で皮膚に小さな開口部を１つ作り、身体の埋入部位で小さな開口部を１つ作るだけで、組織を移植することが可能になる。移植キットは、また、埋入および採取キットについて前述した特徴の提案される諸実施形態のうちのいずれかを含むことができる。
【００３７】
好ましくは、採取管、埋入管、および容器の内側は、低摩擦表面を有する。組織または材料を採取管または容器に押し込むのを容易にするために、摩擦は、低いほど良い。組織または材料を埋入管または容器から取り除く場合にも、このことが言える。
【００３８】
本発明は、また、身体に材料を埋入する方法に関する。当該方法は、貫入ロッドを埋入管内に置き、次いで貫入ロッドと埋入管との組合せ体（combination）により身体にキャビティを作ることによって実施される。その後、貫入ロッドは、埋入管から除去され、埋入されるべき材料は、埋入管に挿入され、その埋入管が作られたキャビティを維持する。最終ステップとして、埋入管が除去される。
【００３９】
好ましくは、埋入されるべき材料は、埋入管が体内に存在して作られたキャビティを維持しているときには、埋入管に挿入された容器内に存在する。その後、埋入管および容器の両方が、最終ステップとして除去されることになる。
【００４０】
埋入管および任意の容器の除去を楽にする（alleviate）ために、プランジャを使用して、埋入するための材料を最終ステップで適所に保つことができる。
【００４１】
一実施形態では、縫合糸は、その縫合糸に連結された針を用いて、埋入するための材料にその前端で連結することができ、縫合糸は両端に針を備えていることが好ましい。材料が最終ステップで縫合糸を用いて体内で抑えこまれるように、一方または両方の針が、埋入管が体内に位置決めされているときに当該埋入管に挿通され、その前端を通って外に出され、さらに皮膚を通って外に出される。また、プランジャと縫合糸との両方を使用することも可能である。縫合糸を用いると、また、材料を作られたキャビティ内の適所に引き入れることも可能になる。
【００４２】
本発明は、また、身体から組織を採取する方法に関する。当該方法は、身体の皮膚を開口させ、鋭利な剃刀またはメス入口端を備えた採取管を挿入することによって実施される。その後、採取されるべき組織は、採取管がまだ体内に存在する間に、切断部材または捻除部材によって採取管の入口端のところで切り離される。最後に、組織がその内側に存在する採取管が除去される。採取管は、また、埋入方法においても、その中の容器として使用することができる。
【００４３】
好ましくは、容器は、採取管を体内に挿入する前に、採取管に挿入される。容器は、また、埋入方法においても使用することができる。組織を採取する方法では、１片の組織が、所望の形状の作られたキャビティを満たすような適切なサイズに切り取られる。したがって、作られたキャビティに繰り返し充填する必要はない。
【００４４】
最後に、本発明は、さらに、組織を身体に移植する方法に関する。当該方法は、身体の皮膚を開口させ、採取管を挿入することによって実施される。その後、採取されるべき組織は、採取管がまだ体内に存在する間に、切断部材または捻除部材によって採取管の入口端のところで切り離される。次いで、組織がその内側に存在する採取管が除去される。
【００４５】
次のステップとして、貫入ロッドが埋入管に挿入され、この組合せ体によって身体にキャビティが作られる。その後、貫入ロッドは、埋入管から除去され、埋入されるべき組織は、埋入管に挿入され、その埋入管が作られたキャビティを維持する。最終ステップとして、埋入管が除去され、身体は、埋入された組織の周りで自動的に閉じる。
【００４６】
このように、所望の形状のキャビティを作り出すことが可能であり、またさらに、組織の適切な切抜き片が所望の形状の作られたキャビティを満たすように、作られたキャビティをその適切な切抜き片で満たすことも可能である。作られたキャビティに繰り返し充填する必要はない。したがって、移植および結果をすぐれた方法で制御することが可能である。
【００４７】
移植方法は、また、埋入および採取方法について前述した特徴の提案される諸ステップのうちのいずれかを含むことができる。
【図面の簡単な説明】
【００４８】
本発明について、添付図面を参照し、本発明による諸実施形態の例を用いてより詳細に説明する。
【００４９】
図１は、埋入管と、貫入ロッドと、埋入されるべき材料を収容する容器とを含む埋入キットを示す。
【００５０】
図２は、図１に示した埋入キットに組み込むのに適したプランジャを示す。
【００５１】
図３は、貫入ロッドが埋入管に挿入された組合せ体と、それらの断面とを示す。
【００５２】
図４は、容器が埋入管に挿入された組合せ体と、それらの断面とを示す。
【００５３】
図５は、鋭利な剃刀またはメス入口端を有する採取管を示す。
【００５４】
図６は、図５に示した採取管を含む採取キットに組み込むのに適した容器を示す。
【００５５】
図７は、容器が採取管に挿入された組合せ体と、それらの断面とを示す。
【００５６】
図８ａは、採取管の鋭利な入口端の第２の実施形態を示す。
【００５７】
図８ｂは、採取管の鋭利な入口端の第３の実施形態と、採取されるべき組織を切り離す切断部材の第１の実施形態とを示す。
【００５８】
図９は、容器を詳細に示す。
【００５９】
図１０ａは、採取されるべき組織を切り離す切断部材の第２の実施形態を示す。
【００６０】
図１０ｂは、上方からの、採取されるべき組織を切り離す切断部材の第２の実施形態を示す。
【００６１】
図１０ｃは、採取されるべき組織を切り離す切断部材の第３の実施形態を示す。
【００６２】
図１０ｄは、採取されるべき組織を切り離す切断部材の第４の実施形態を示す。
【００６３】
図１０ｅは、採取されるべき組織を切り離す切断部材の第５の実施形態を示す。
【００６４】
図１０ｆは、第５の実施形態の切断部材を用いて組織を切り離す方法を示す。
【００６５】
図１０ｇは、第５の実施形態の切断部材の変形形態を示す。
【００６６】
図１０ｈは、第５の実施形態の切断部材の変形形態を示す。
【００６７】
図１０ｉは、第５の実施形態の切断部材の変形形態を示す。
【００６８】
図１０ｊは、第５の実施形態の切断部材の変形形態を示す。
【００６９】
図１０ｋは、採取されるべき組織を切り離す切断部材の第６の実施形態を示す。
【００７０】
図１０ｌは、採取されるべき組織を切り離す切断部材の第７の実施形態を示す。
【００７１】
図１１ａは、貫入ロッドの第１の実施形態を詳細に示す。
【００７２】
図１１ｂは、貫入ロッドの第２の実施形態を示す。
【００７３】
図１１ｃは、貫入ロッドの第３の実施形態を示す。
【００７４】
図１２ａは、プランジャを詳細に示す。
【００７５】
図１２ｂは、プランジャの第２の実施形態を示す。
【００７６】
図１３は、２本の針を有する縫合糸が、埋入されるべき材料片に連結された様子を示す。
【００７７】
図１４ａは、埋入管の第１の実施形態を詳細に示す。
【００７８】
図１４ｂは、埋入管の第２の実施形態を示す。
【００７９】
図１５ａは、図１による埋入キットと、図５による採取キットとを含む、移植キットを示す。
【００８０】
図１５ｂは、移植キットに組み込むのに適したプランジャを示す。
【００８１】
図１６ａは、鋭利な剃刀またはメス入口端を備えたシリンジで作られた採取管を示す。
【００８２】
図１６ｂは、採取管が、入口端とは反対側に位置する採取管の端部に陰圧を加える捻除部材に連結された様子を示す。
【発明を実施するための形態】
【００８３】
発明の好ましい実施形態の詳細な説明
図１には、埋入管１と、貫入ロッド２と、埋入されるべき材料を収容する容器３とを含む埋入キットが示されている。貫入ロッド２は、好ましくは中実であり、または、少なくとも貫入先端４は、中実であり、かつ／もしくはロッド２の断面を覆う。
【００８４】
また、図１１ａ、ｂ、およびｃも参照されたい。図１１ａは、貫入ロッド２を詳細に示し、またさらに、拡大された貫入先端４も示し、貫入先端４の好ましい実施形態が丸みのあるものであることを示している。丸みのある貫入先端４によって、貫入ロッド２は、組織を切断する代わりに、身体に貫入しながら組織を分離することになる。したがって、全くまたはほとんど出血なしにキャビティを作ることができる。
【００８５】
これは、出血が埋入物と身体との間の結合を妨害して、埋入物の拒絶および／または埋入物が組織である場合の当該埋入物の壊死の危険を高めることがあるので、有利である。丸みのある貫入先端４は、また、神経、血管、および周辺組織を損傷する危険を低減する。貫入ロッド２は、埋入管１と連結するための、ここに示される陥凹部５などの、ある種の連結手段５を備えることができる。
【００８６】
貫入ロッド２の断面は、円形とすることもでき、または図１１ｂに示される扁平な楕円形など、他のいずれか適切な形状を有することもでき、すべて、埋入物を受け取るべきキャビティがどのようなものになるかによって決まる。貫入ロッド２は、真直なものとすることもできるが、また、その長手方向（図示せず）に沿ってわずかに曲がることも可能である。
【００８７】
組織を互いに引き離すのが困難な体内の位置、例えば、皮膚／真皮内、または皮膚／真皮と骨との間に埋入する場合、別のタイプの貫入先端４、例えば、鋭利な先端および／または図１１ｃに示されるフォークタイプの先端４’が必要になることがある。
【００８８】
埋入管１は、図１４ａおよびｂにより詳細に示されている。その埋入管１は、好ましくは円形断面を有する管であるが、また、埋入管１が貫入ロッド２と同じ断面を有すること、または貫入ロッド２の形状に適応できるように延性のものであることも考えられる。前端２８は、身体に挿入される端部である。好ましくは、埋入管は、低い摩擦係数をもたらすように内側が滑らかである。
【００８９】
図１４ｂには、図１１ｂに示される貫入ロッドに適した、扁平な楕円形断面を有する埋入管１が示されている。好ましくは、埋入管１は、貫入ロッド２と連結する、ある種の連結手段を備える。ここに示される実施形態では、穴７は、好ましくは埋入管１の外側端８の近くで、埋入管１内に存在する。扁平な楕円形の貫入ロッド２と対応する埋入管とが使用されるときには、作られたキャビティは、対応する形状を与えられ、埋入物は、このスペースを満たすことになる。このように、埋入を制御し、特定の事例ごとにキャビティを変更することが可能である。
【００９０】
埋入管１の他の考えられる実施形態は、その部分を通じて埋入物の量が視認可能となるような、ある種のシースルー部分（図示せず）を有する。また、採取管９および／または任意のシースルー部分の長さに沿って、長さまたは体積についての測定スケールを備えることも可能であり、図１６ａを参照のこと。
【００９１】
図３には、貫入ロッド２が埋入管１の内側に位置するときの様子が示されている。２つの部品２、１は、例えば、埋入管１内の穴７に挿通された、貫入ロッド５に到達するまたは貫入ロッド５を貫くピン６を用いて相互連結される。
【００９２】
図１の容器３は、また、図９および１０ａに、より詳細に異なる実施形態で示されている。容器３は、好ましくは薄肉管であり、また好ましくは、容器を埋入管１または採取管９内の深部まで挿入させないように、止め具（stop）８を、例えば、図９のような球（bulb）形状で、または図１０ａのような追加の外側チュービングとして備えており、これについては以下で説明する。止め具８とは反対側の端部に、入口端２９が位置する。
【００９３】
容器３の断面は、円形もしくは他のいずれか適切な形状であってもよく、または、容器３を例えば別の断面を有する埋入管１に挿入できるように、したがって容器３が埋入管１の形状をとることができるように、容器３を延性材料で作製することもできる。例えば、容器３は、医療用途に適したプラスチックで作製することができる。
【００９４】
それは、また、その部分を通じて埋入物の量が視認可能となるような、ある種のシースルー部分（図示せず）を有する容器３の実施形態の場合にも考えられる。また、容器３および／または任意のシースルー部分（図示せず）の長さに沿って、長さまたは体積についての測定スケールを備えることも可能である。
【００９５】
埋入キットでは、また、プランジャ１０を有することが好ましい。それは、好ましくは、その長さに沿って周辺部にチャンネル１１を有する中実のロッドであり、図２、より詳細には図１２を参照のこと。プランジャ１０が採取管１および／または容器３と協働するときには、空気がチャンネル１１に流入することができる。
【００９６】
プランジャ１０は、代わりに、埋入管１および／または容器１の内側よりも断面がわずかに小さいプランジャ部分２６を有してもよい。プランジャの長さの残りの部分は、スティック２７のようにプランジャ部分２６よりも小さい断面を有してもよく、図１２ｂを参照のこと。
【００９７】
また、埋入されるべき材料に連結するために、針１２および縫合糸１３を埋入キットに組み込むことが考えられ、図１３を参照のこと。図４には、容器３が埋入管１の内側に位置するときの様子が示されている。
【００９８】
本発明による埋入キットを使用するときには、貫入ロッド２は、埋入管１に挿入され、それらは、好ましくは互いに連結される。必要に応じて皮膚に開口部が作られ、埋入管１と貫入ロッド２との組合せ体が、所望の場所で身体に挿入されて、身体にキャビティを作る。埋入管１と貫入ロッド２との組合せ体が体内の所望の位置にきたときに、貫入ロッド２が引き下げられる。
【００９９】
埋入管１は、体内にとどまり、組合せ体によって作られたキャビティを維持する。その後、埋入されるべき材料は、埋入管１に挿入され、埋入管１は、埋入されるべき材料を体内に残して身体から引き下げられる。好ましくは、埋入されるべき材料は、容器３内に存在する。したがって、容器３は、埋入管１に挿入され、埋入管１および容器３の両方が、埋入されるべき材料を体内に残して身体から引き下げられる。
【０１００】
埋入管１と存在し得る容器３との引下げを楽にし、それでもなお埋入されるべき材料を体内の作られたキャビティ内に保つために、プランジャ１０を使用して材料を適所に保つことができる。例えば、これは、埋入管１および容器３（使用される場合）をプランジャ１０の外側に沿って引き下げながら、プランジャ１０を埋入管１の外側端および容器３（使用されるとき）の外側端に挿入することによって、実施することができる。
【０１０１】
埋入管１および容器３（使用される場合）の引下げを楽にする他の方法は、埋入されるべき材料にその前端で連結された縫合糸１３を使用することであり、図１３を参照のこと。
【０１０２】
縫合糸１３は、好ましくは両端に針１２を備える。縫合糸１３は、埋入されるべき材料の前端に通して引くことができ、２本の針１２は、埋入管１が体内に位置決めされているときに当該埋入管１に挿通され、その内側端を通って外に出され、さらに皮膚を通って外に出される。したがって、埋入されるべき材料を、引下げの間、縫合糸１３を用いて適所に引き入れる、または体内で抑えこむことができる。埋入物が適切な位置にきたときに、１本の針が外れて縫合糸１３を２つの部分で身体から引き下げることができるように、縫合糸１３のうちの１本が切断される。縫合糸１３は、望むなら、プランジャ１０の使用と組み合わせることができる。
【０１０３】
この埋入キットおよび方法の重要な利点は、身体に傷を１つしか作らないことである。針１２および縫合糸１３が使用される場合、針刺し（needle stick）がそのような創傷を引き起こさないことが自明である。
【０１０４】
図５には、鋭利な剃刀またはメス入口端１４を有する採取管９が示されている。また、斜めに切断された入口端１４（図示せず）を有することも考えられる。図８ａおよびｂには、採取管９の他の実施形態が示されている。採取管９を手動で回転させながら組織を採取するのがより容易になるので、採取管９の断面は、好ましくは円形である。好ましくは、採取管９は、低い摩擦係数をもたらすように内側が滑らかである。採取管９は、例えば、また、埋入キットにおいて使用して、容器３を構成することも可能である。
【０１０５】
組織を採取するには、身体の皮膚を開口させ、採取管９が、好ましくは手動で回転式に、またはドリル装置を用いて、開口部に挿入される。適切な量の組織が採取管９を満たしたときには、切断部材１７が、入口端１４の近くで採取されるべき組織を切り離すことになる。切断部材１７については以下で説明する。
【０１０６】
入口端１４は、鋭利な刃を有しており、その鋭利な刃は、図５のように入口端１４のところで採取管９自体を鋭利にすることによって、または、例えば図８ａに示されるカッター１５のように、別個のカッター１５を設けることによって、作製することができる。他の実施形態では、鋭利な入口端１４を作製するために、トレフィン（trephine）刃１６が採取管９の入口端１４のところに配置されており、図８ｂまたは１６ａを参照のこと。前述のように、カッター１５またはトレフィン１６は、斜めであってもよい（図示せず）。
【０１０７】
適切な充填容量をもつためには、入口端は、ここに示されるように真直とすることもでき、または、最大体積の軟組織を捕らえるように、漏斗のようなより大きな直径を有することもできる。また、硬質またはより硬質の組織に突き刺さる危険を低減するために、より小さな末端直径を有することも考えられる。
【０１０８】
採取管９の他の考えられる実施形態は、その部分を通じて埋入物の量が視認可能となるような、ある種のシースルー部分を有する。また、採取管９および／または任意のシースルー部分の長さに沿って、長さまたは体積についての測定スケールを備えることも可能であり、図１６ａを参照のこと。
【０１０９】
図８ｂには、また、別個の特徴も示されている。この特徴は、採取されるべき組織を切り離す切断部材１７に関する。この切断部材１７は、言うまでもなく、採取管９のいずれか適切な実施形態に配置することができる。
【０１１０】
図８ｂに示される切断部材は、採取管９の内径に沿って設けられた縫合糸１８または類似のものを含む。その縫合糸１８または類似のものは、例えば、トレフィン刃１６またはカッター１５と採取管９との間で圧搾することによって、適所で解放可能に保持することができる。あるいは、例えば、いずれか適切な接着剤を用いて、適所で解放可能に保持することもできる。
【０１１１】
縫合糸１８の一端２０は、採取管９内の穴１９を通り抜け、少なくとも採取管９とほぼ同じ長さだけ採取管９の外側に沿って走る。また、縫合糸１８の長い端部２０を採取管９の内側に沿って走らせることも考えられる。縫合糸１８の反対側の端部２１は、好ましくは採取管９の壁内に固定される。
【０１１２】
採取管９が体内に位置決めされ、適切な量の組織が採取管９の内側に存在するときに、外科医は、縫合糸１８の長い端部２０を掴み、それを外に向かって引く。採取管９の内側の縫合糸１８のループが、解き放たれて組織を「締め付け（strangles）」るので、組織が切り離されることになる。
【０１１３】
好ましくは、採取キットは、また、例えばやはり埋入キットでも使用可能な、容器３（図６参照）を含む。図６の容器３は、また、図９および図１０ａに、より詳細に異なる実施形態で示されている。容器３は、好ましくは薄肉管であり、また好ましくは、容器を埋入管１または採取管９内のあまり深部まで挿入させないように、止め具８を、例えば、図９のような球形状で、または図１０ａのような追加の外側チュービングとして備える。容器３は、好ましくは、採取管９の内径よりも少しだけ小さい外径を有する。
【０１１４】
容器３が採取キットで使用されるときには、当該容器３は、組織の採取が始まる前に採取管９の内側に位置決めされることになり、図７を参照のこと。組織を採取するには、身体の皮膚を開口させ、採取管９が容器とともに、好ましくは手動で回転式に挿入される。好ましくは、容器３は、低い摩擦係数をもたらすように内側が滑らかである。
【０１１５】
適切な量の組織が採取管９および容器３を満たしたときには、切断部材１７が、入口端１４の近くで採取されるべき組織を切り離すことになる。採取管９に配置された切断部材１７の一実施形態について前述したが、ここで、他の切断部材について説明する。
【０１１６】
図１０ａでは、容器３の直径の周りで縁部２２に沿って設けられた縫合糸１８または類似のものが、採取されるべき組織を切り離す切断部材１７の第２の実施形態を形成している。その縫合糸１８または類似のものは、例えば、いずれか適切な接着剤を用いて、適所で解放可能に保持することができる。
【０１１７】
また、切断部材１７と、容器３の上面図とを示す、図１０ｂも参照のこと。縫合糸１８のより長い一端２０は、少なくとも容器３とほぼ同じ長さだけ容器３の外側に沿って走る。縫合糸１８の反対側の端部２１は、好ましくは容器３の壁内に固定される。
【０１１８】
採取管９および容器３が体内に位置決めされ、適切な量の組織が採取管９および容器３の内側に存在するときに、外科医は、縫合糸１８の長い端部２０を掴み、それを外に向かって引く。採取管９の内側の縫合糸１８のループが、解き放たれて組織を「締め付け」るので、組織が切り離されることになる。
【０１１９】
また、縫合糸１８の端部２０、２１の両方を容器３の外側で容器３の長さに沿って走らせることも可能であり、図１０ｃに示される第３の実施形態を参照のこと。あるいは、端部２１を容器３内に固定する代わりに、端部２１を図１０ｄの第４の実施形態に示される小さなループ２３の形状とすることもできる。前記切断部材の諸実施形態は、また、採取管９にも適している。
【０１２０】
切断部材１７の他の考えられる実施形態が、図１０ｅに示されている。この第５の実施形態では、縫合糸１８は、一端２４で採取管９内に固定され、他端２５は、容器３内に固定されており、いずれも好ましくは入口端１４の近くで固定される。例えば、縫合糸１８は、適切な接着剤を用いて容器３の縁部２２のところで解放可能に保持することができる。
【０１２１】
採取管９および容器３が体内に位置決めされ、適切な量の組織が採取管９および容器３の内側に存在するときに、外科医は、採取管９と容器３との間の相対回転運動を開始する、例えば、採取管９の内側で容器３を回転させる。縫合糸１８が解き放たれて組織の周りでねじれるので、組織が切り離されることになる。
【０１２２】
組織切断方法が図１０ｆに示されている。ただし、この図１０ｆは、図１０ｊに示される切断部材の一変形形態を示す。容器３と採取管９との間で相対回転運動が始まるときには、縫合糸１８は、容器３の断面をまたぎ始めることになる。図１０ｆでは、明瞭にするために、採取管９がどのように回転されるかが示されているが、実際には容器３を回転させることが多い。１と１／２回転後、締付けループ４４（図１０ｆ参照）が構築されており、この締付けループが、相対回転運動が行われれば行われるほど、組織をどんどん「締め付ける」。
【０１２３】
切断部材の第５の実施形態の様々な変形形態が考えられる。図１０ｇに示されるように、採取管９は、縫合糸１８がそれを通り抜けることのできる貫通穴（through going hole）４０を有する。縫合糸１８は、例えば、採取管９の外側に位置決めされた部分に止め具または結び目（knot）４１を備える。止め具または結び目４１は、組織を切り離す間、縫合糸１８が採取管９に取り付けられたままにするために、貫通穴４０よりも大きい。
【０１２４】
縫合糸１８は、また、容器３に取り付けられる。例えば、縫合糸１８は、容器３の内側に糊付けすることもでき（図１０ｈ参照）、または第２の止め具もしくは結び目４２を用いることもできる（図１０ｉ参照）。第２の止め具または結び目４２は、好ましくは、組織の採取を妨げないように、容器３の外側に位置決めされる。そのように位置決めされた場合、縫合糸１８は、入口端の近くに位置決めされた貫通穴４３内を進み、上方に進んで容器３の縁を越えて外に出る。容器３の外側の部分は、次いで、採取管９の貫通穴４０を通り抜ける。明瞭にするために、図１０ｈ〜ｊでは、採取管９は図示されていない。
【０１２５】
採取管９および容器３への縫合糸１８の考えられる他の連結は、容器３に２つの貫通穴４３を設け（図１０ｊ参照）、縫合糸１８に、止め具または結び目４１を採取管９の外側に有するループを作り出させることである。また、採取管もまた２つの貫通穴４０を有することも考えられ、それにより、縫合糸１８のループは、好ましくは採取管の外側で、端部を１つに束ねればよいことになる。
【０１２６】
試験によって、第５の実施形態による切断部材と、「締付け」によって組織を切り離す対応する方法とが有利であることが示された。それらは、製造が容易であり、取扱いが容易である。採取管または容器の長さに沿って縫合糸または紐（strings）を引く必要はない。また、縫合糸もしくは紐が引っ掛かるもしくは引きちぎられる原因となりうる、または少なくとも高摩擦の反力の原因となりうる、縫合糸または紐を約９０度曲げる末端表面を横切る必要もない。
【０１２７】
図１０ｋには、切断部材の他の実施形態が示されている。好ましくは金属製の薄肉切断管３５が、採取管９の外側に位置決めされる。採取管９の入口端１４に最も近い端部は、軸方向に、または長軸に対して斜めに切断されて、フラップ３６を形成している。フラップ３６は、中心長軸に向かって径方向に予め曲げられ、または偏倚される。切断管３５は、好ましくは採取管９よりも短い。
【０１２８】
次いで、十分な量の組織が採取管９の内側に存在するときには、切断管３５は、入口端１４に向かって押され、フラップ３６が採取管９によってもはや止められないときには、それらのフラップ３６は、入口端１４を覆って径方向内側に曲がることになり、それによって採取されるべき組織を切り離す。
【０１２９】
図１０ｌには、切断部材の他の実施形態が示されている。収縮可能なリング３８を備えたホース３７が、採取管９の外側に設けられる。収縮可能なリング３８は、採取管９の入口端１４の近くに設けられる。押出管３９が、収縮可能なリング３８よりも入口端１４から少し遠くに離れたところで、ホース３７と採取管９との間に位置決めされる。
【０１３０】
次いで、十分な量の組織が採取管９の内側に存在するときには、押出管３９は、入口端１４に向かって押されて、収縮可能なリング３８を押して入口端１４のところの縁部を越えさせ、それによって、リングが収縮し、採取されるべき組織を切り離す。
【０１３１】
他の実施形態では、採取管９は、捻除部材３０を含んでおり、図１６ａおよびｂを参照のこと。図１６ａでは、シリンジ３１は、採取管９を構成し、鋭利な入口端、ここに示される事例ではトレフィン１６を備える。所望の量の組織が採取され、採取管９の内側に存在するときには、シリンジピストン３２が、さらにわずかに引き下げられて、組織に陰圧を及ぼし、組織を採取管９の内側端のところで引きちぎる間、組織を採取管９の内側に保つことになる。
【０１３２】
シリンジピストン３２は、シリンジ３１が埋入キットの容器３を構成する場合、プランジャ１０として使用することができる。他の実施形態では、鋭利な入口端、例えば、トレフィン１６を除去することが可能なことが考えられる。
【０１３３】
図１６ｂでは、採取管９は、チュービング３３と陰圧供給装置（negative pressure providing apparatus）３４とを含む捻除部材３０に連結される。好ましくは、陰圧供給装置３４は、調節可能で自動化されており、したがって、各場合について所望の量の陰圧を与えることができる。
【０１３４】
採取時に採取管９内に陰圧を与えることによって、採取管９の充填が楽になり、このことは、より硬質の組織を採取するとき、または小さな寸法の組織が採取されるときに特に望ましい可能性がある。
【０１３５】
また、特定のタイプの組織の採取など、特定の位置での採取が望まれる場合、採取キットが貫入ロッド２を含むことが考えられる。その場合、貫入ロッド２は、組織を切り取ることなく、特定の位置へと達する経路に貫入する、採取管９（および存在し得る容器３）の内側に位置決めすることができる。その特定の位置で、貫入ロッド２は、引き下げられ、採取管９は、特定の組織の切取りを開始することができる。
【０１３６】
図１５ａには、採取管９と、容器３と、埋入管１と、貫入ロッド２とを含む移植キットが示されている。図１５ｂでは、また、プランジャ１０が移植キットに組み込まれる。
【０１３７】
身体の好ましくは１つの部位から身体の第２の部位へと組織を移植するときには、採取管１が、好ましくは手動で回転式に、身体の第１の部位に挿入される。適切な量の組織が採取管９を満たしたときには、切断部材１７または捻除部材３０が、入口端１４の近くで採取されるべき組織を切り離すことになる。その後、採取管９は、身体から除去されて採取された組織を運び出す。
【０１３８】
埋入に望ましい身体の部位で、皮膚は、好ましくは開口され、埋入管１の内側に存在する貫入ロッド２は、身体に挿入されて、埋入されるべき組織のためのキャビティを作り出す。その後、貫入ロッド２は、作られたキャビティを維持するために埋入管１を体内に残して除去される。採取管９から埋入されるべき、採取された組織は、埋入管１に挿入され、最後に、埋入管１は、埋入された組織を作られたキャビティ内に残して身体から除去される。
【０１３９】
好ましくは、容器３は、当該方法で使用される。その場合、その容器３は、採取された組織が容器３内に存在するようになるよう、採取管９を身体に挿入する前に採取管９の内側に位置決めされることになる。
【０１４０】
採取された組織が容器３内にあるときには、容器３を用いて採取された組織を埋入することが好ましい。したがって、容器３は、採取された組織とともに、採取管９から除去され、埋入管１が作られたキャビティ内に存在するときに埋入管１に挿入される。その後、埋入管１と容器３との両方が、埋入された組織を作られたキャビティ内に残して身体から除去されることになる。
【０１４１】
組織を移植する他の好ましい方法では、プランジャが、やはり、埋入管１および任意の容器３を除去する間、組織を適所に保つために使用される。代わりに、またはさらに、縫合糸１３が組織に連結され、１本もしくは２本の針１２が、埋入管１が体内に位置決めされているときに当該埋入管１に挿通され、その入口端１４を通って外に出され、さらに皮膚を通って外に出されて、その結果、埋入管１および任意の容器３を除去する間、縫合糸を用いて組織を適所に引き入れるまたは体内に抑えこむことができるようになる。
【図１】
0005492080.tif 000002
【図２】
0005492080.tif 000003
【図３】
0005492080.tif 000004
【図４】
0005492080.tif 000005
【図５】
0005492080.tif 000006
【図６】
0005492080.tif 000007
【図７】
0005492080.tif 000008
【図８ａ】
0005492080.tif 000009
【図８ｂ】
0005492080.tif 000010
【図９】
0005492080.tif 000011
【図１０ａ】
0005492080.tif 000012
【図１０ｂ】
0005492080.tif 000013
【図１０ｃ】
0005492080.tif 000014
【図１０ｄ】
0005492080.tif 000015
【図１０ｅ】
0005492080.tif 000016
【図１０ｆ】
0005492080.tif 000017
【図１０ｇ】
0005492080.tif 000018
【図１０ｈ】
0005492080.tif 000019
【図１０ｉ】
0005492080.tif 000020
【図１０ｊ】
0005492080.tif 000021
【図１０ｋ】
0005492080.tif 000022
【図１０ｌ】
0005492080.tif 000023
【図１１ａ】
0005492080.tif 000024
【図１１ｂ】
0005492080.tif 000025
【図１１ｃ】
0005492080.tif 000026
【図１２ａ】
0005492080.tif 000027
【図１２ｂ】
0005492080.tif 000028
【図１３】
0005492080.tif 000029
【図１４ａ】
0005492080.tif 000030
【図１４ｂ】
0005492080.tif 000031
【図１５ａ】
0005492080.tif 000032
【図１５ｂ】
0005492080.tif 000033
【図１６ａ】
0005492080.tif 000034
【図１６ｂ】
0005492080.tif 000035